(57)【要約】統合リモートコントローラ装置、及びその制御方法に関するもので、ユーザが外部から機器制御命令信号を入力するユーザインターフェース部と、このユーザインターフェース部を通じて入力した上記の制御命令信号を該当機器に伝達し、該当機器の動作状態信号を受信する有線送/受信部、及び無線送/受信部と、上記のユーザインターフェース部、有線送/受信部、及び無線送/受信部を制御する中央処理部と、この中央処理部の制御に必要なデータを保存する保存部と、上記の中央処理部の制御によって操作するコントロールキーを表示し、その動作状態及び結果を表示する表示部と、を備える。
2004531172.tif 000002
【特許請求の範囲】
【請求項１】
ユーザが外部から機器制御命令を入力するユーザインターフェース部と、
前記ユーザインターフェース部から入力される制御命令信号を、該当機器に伝達して、前記該当機器の動作状態信号を受信する有線送/受信部、及び無線送/受信部と、
前記ユーザインターフェース部と有線送/受信部及び無線送/受信部を制御する中央処理部と、
前記中央処理部の制御に必要なデータを保存する保存部と、
前記中央処理部の制御によって操作するコントロールキーを表示し、動作状態及び結果を表示する表示部と、
を備えることを特徴とする統合リモートコントローラ装置。
【請求項２】
前記ユーザインターフェース部は、タッチスクリーンまたはキーを含むことを特徴とする請求項１に記載の統合リモートコントローラ装置。
【請求項３】
家庭内にある機器をネットワーク網で連結して相互通信のためのホームネットワークを形成する段階と、
前記ネットワーク網で繋がっている機器を、機器別または機能別に形成される初期画面を通じて制御する特定機器を選択する段階と、
前記の選択された特定機器の制御メニューと現在の動作状態とを表示する段階と、
前記の表示される制御メニューを通じて該当機器の動作を遂行する制御命令を選択する段階と、
前記の選択された制御命令を入力して該当する前記動作を実行し、この実行による前記機器の動作状態の信号を統合リモートコントローラ装置に送信する段階と、
前記初期画面と比べて機器の状態が変わったか、または新しい機器の追加あるいは既存機器の削除が発生したと判断されれば、前記初期画面を更新した後、前記の全過程を繰り返し遂行する段階と、を備えることを特徴とする統合リモートコントローラ制御方法。
【発明の詳細な説明】
【技術分野】
【０００１】
本発明は、リモートコントローラに関し、特に多数の各種電子機器を一つのリモートコントローラを用いて、全体的あるいは個別的に制御することができる統合リモートコントローラ(multipurpose remote controller)装置及びその制御方法に関するものである。
【背景技術】
【０００２】
現在、家庭内の各種電子機器、即ち、ＰＣ、携帯電話、冷蔵庫、洗濯機、ビデオ、オーディオなどを一つのネットワークで互いに連結して制御するホームネットワークシステム(home networking system)がＩＥＥＥ１３９４とＩＥＣ６１８８３規格に基づき、盛んに開発進行中である。
このようなネットワークで繋がっている多数の家電機器は、一つの主要機器を通して全体として制御されるか、または各家電機器が対応するリモートコントローラによって個別的に制御されている。
しかし主要機器を通した制御は、多数の家電機器を制御するために、主要機器の空間的制限によって、通常どこかの場所に固定されている主要機器へユーザが自分で移動しなければならないという不便さがある。
【０００３】
また、上記のリモートコントローラは、全ての機器に一つずつ保有することになり、ユーザの購入した機器が多くなるにともない、家庭ではそれだけ操作するリモートコントローラの保有個数が増加することになるので、ユーザの使用及び管理に混乱をもたらすことになる。リモートコントローラである特定機器を作動させる時、リモートコントローラの作動範囲にある他の装置が一緒に作動する場合が多く発生することを考えると、ユーザは他の必要ない機器の作動を停止させねばならず、そうでなければそのまま作動状態を維持することになって、不必要な作動によって電力の無駄使いはもちろん、機器の寿命を短縮させるという問題が生ずる。
【発明の開示】
【発明が解決しようとする課題】
【０００４】
本発明は上述した問題点を解決するために案出されたもので、一つのリモートコントローラを使用することによりネットワーク網で互いに繋がっている多数の機器を、全体として、またはそれぞれ個別的にユーザが制御できる統合リモートコントローラ装置及びその制御方法を提供することが本発明の目的である。
【課題を解決するための手段】
【０００５】
このような目的を果たすための本発明による統合リモートコントローラ装置は、ユーザが外部から機器制御命令を入力するユーザインターフェース部と、ユーザインターフェース部を通じて入力された制御命令信号を該当機器に伝達し、該当機器の動作状態信号を受信するための有線送/受信部及び無線送/受信部と、ユーザインターフェース部と有線送/受信部、及び無線送/受信部を制御する中央処理部と、中央処理部の制御に必要なデータを保存する保存部と、中央処理部の制御によって操作するコントロールキー(control key)を表示し、動作状態及び結果を表示する表示部とを備える。
【０００６】
本発明の別の態様による統合リモートコントローラの制御方法は、家庭内にある機器をネットワーク網で連結して互いに通信が可能なホームネットワークを形成する段階と、ネットワーク網で繋がっている機器が機器別、または機能別に形成される初期画面を通じて制御する特定機器を選択する段階と、選択された特定機器の制御メニューと現在の動作状態を表示する段階と、表示される制御メニューを通じて該当機器の動作を遂行する制御命令を選択する段階と、この選択された制御命令が入力されると該当する動作を実行し、この実行による機器の動作状態の信号を統合リモートコントローラ装置に送信する段階と、初期画面と比べて機器の状態が変わっているか、または機器の追加あるいは削除が発生したと判断されれば、初期画面を更新した後、上記の過程を繰り返して遂行する段階と、を備えている。
【発明を実施するための最良の形態】
【０００７】
本発明の上記の目的、特徴及び利点は添付の図面に関連させて述べられる以下の詳細な説明から一層明らかにされる。
以下上記の目的を具体的に実現することができる本発明の望ましい実施例を添付された図面を参照して説明する。
本実施例を説明するにおいて、同一構成に対しては同一名称及び同一符号が使われているため、これによる付加的な説明は下記で省略する。
図１は、本発明による統合リモートコントローラ装置をあらわした構成図であって、図１に示すように、統合リモートコントローラは、ユーザが外部から機器制御命令信号を入力するユーザインターフェース部１０と、ユーザインターフェース部１０を通じて入力された制御命令信号を該当機器に伝達し、該当機器の動作状態信号を受信する有線送/受信部２０、及び無線送/受信部３０と、ユーザインターフェース部１０と有線送/受信部２０、及び無線送/受信部３０を制御する中央処理部４０と、中央処理部４０の制御に必要なデータを保存する保存部５０と、中央処理部４０の制御によって操作するコントロールキーを表示し、その動作状態及び結果を表示する表示部６０とを備えて構成される。
ここで、無線送/受信部３０は、無線で送/受信するインターネット製品(internet product)と連結されて、ＲＦまたは赤外線通信を遂行する。
また、有線送/受信部２０は、ウェッブページに接続して機器及び統合リモートコントローラ装置を更新し、あわせて各機器と有線通信を遂行する。
【０００８】
このように構成された本発明による統合リモートコントローラ装置の動作を添付した図面を参照して詳しく説明すれば次の通りである。
図３は本発明による統合リモートコントローラの制御方法を表したフローチャートである。
図３に示すように、まず最初に家庭内にある機器をネットワーク網で連結して相互通信が可能なホームネットワークを形成する(Ｓ１０)。
続いて、統合リモートコントローラ装置の表示部６０にネットワーク網で繋がれた機器を、機器別または機能別に形成する初期画面を表示する(Ｓ２０)。この場合、初期画面の望ましい実例としては、図２Ａに示すように機器のリストを文字を用いて形成するか、または図２Ｄに示すように機器のリストをアイコンであらわすことができる。
この時、図面に表れているユーザインターフェース部１０であるアップキー (Up key)、ダウンキー(Down key)、選択キー(Select key)などの入力キーとしてはタッチスクリーンまたはキーを使う。
【０００９】
このようなユーザインターフェース部１０を利用して、ユーザは表示部６０に表示された初期画面を検索して、該当機器または該当機能を選択すれば、この選択された機器または該当機能に相当する機器が形成された画面が表示される。この望ましい実施例は図２Ｂのように表すことができる。
この場合、ユーザがユーザインターフェース部１０を通じて特定器機または機能を選択すると(Ｓ３０)、この選択された機器または機能による制御メニューと、その機器の現在の動作状態が表示される(Ｓ４０)。この望ましい実施例は図２Ｃのように表すことができる。
そしてユーザは制御メニューを検索し、該当機器の動作を遂行する制御命令を選択する(Ｓ５０)。
そうすると該当機器はこのように選択され、伝達される入力制御命令に基づいて、関連する動作を行い、この実行が完了すれば現在の自身の動作状態の信号を再び統合リモートコントローラ装置に送信する(Ｓ６０)。
このように返信された動作状態の情報を利用して、保存部５０に保存された初期画面と比べて機器の状態が変わっているか、または機器が新たに追加あるいは削除されたと判断されると(Ｓ７０)、初期画面を更新した後、上記の全過程を繰り返して遂行する(Ｓ８０)。
そして統合リモートコントローラ装置のパワーをオフにすれば終了となる(Ｓ９０)。
【００１０】
以上本発明の好適な一実施態様について説明したが、上記の実施態様に限定されず、特許請求の範囲に規定される本発明の精神と範囲から逸脱することなく種々の形態や詳細における変更が可能であることは当業者に理解される通りである。
【産業上の利用可能性】
【００１１】
以上で説明したような本発明による統合リモートコントローラ装置、及びその制御方法に次のような効果がある。
第一に、統合された統合リモートコントローラによりネットワーク網に繋がっている多数の機器を制御することによって、空間的な制限なしに簡単に多数の機器を制御することができる。
第二に、統合リモートコントローラを通じた機器を制御する時、ユーザは画面を通じて制御すべき特定の機器を選択した後に該当機器を制御するので、ユーザは使用及び管理に混乱を招くことがなく容易にリモートコントローラを使用することができ、またそれによって不必要な機器の作動によって生ずる電力の無駄使いを防ぐことができる。
【図面の簡単な説明】
【００１２】
【図１】本発明による統合リモートコントローラ装置をあらわした構成図である。
【図２Ａ】本発明による初期画面を表した実施例を示す図である。
【図２Ｂ】図２Ａで表した初期画面中、選択された特定機器の小グループを表した図面を示す図である。
【図２Ｃ】本発明による制御メニューと現在の動作状態の画面を表した実施例を示す図である。
【図２Ｄ】本発明による初期画面を表した他の実施例を示す図である。
【図３】本発明による統合リモートコントローラの制御方法を表したフローチャートを示す図である。
【図１】
2004531172.tif 000003
【図２Ａ】
2004531172.tif 000004
【図２Ｂ】
2004531172.tif 000005
【図２Ｃ】
2004531172.tif 000006
【図２Ｄ】
2004531172.tif 000007
【図３】
2004531172.tif 000008
【国際公開パンフレット】
2004531172.tif 000009
2004531172.tif 000010
2004531172.tif 000011
2004531172.tif 000012
2004531172.tif 000013
2004531172.tif 000014
2004531172.tif 000015
2004531172.tif 000016
2004531172.tif 000017
2004531172.tif 000018
2004531172.tif 000019
2004531172.tif 000020
2004531172.tif 000021
2004531172.tif 000022
【国際調査報告】
2004531172.tif 000023
2004531172.tif 000024